(57)【特許請求の範囲】
【請求項１】
店舗に配される店舗端末、及び、ユーザが使用するユーザ端末との間で通信を行うことが可能な通信部と、
前記店舗端末及び前記ユーザ端末それぞれと前記通信部が通信する場合に、前記店舗端末及び前記ユーザ端末を関連付ける関連付け部と、
前記店舗端末及び前記ユーザ端末それぞれから、前記店舗端末及び前記ユーザ端末を特定した状態で商品の注文を受け付ける注文受付部と、
前記注文受付部によって受け付けた注文に基づいて商品が到着した場合、前記注文受付部による商品を注文した前記店舗端末及び前記ユーザ端末の特定に基づいて、商品を注文した前記店舗端末及び前記ユーザ端末を特定した状態で、前記店舗端末及び前記ユーザ端末の少なくとも１つに対して商品が到着した旨の通知を行うよう前記通信部を制御する通信制御部と、
を備える情報処理装置。
【請求項２】
前記店舗端末に配される表示部に所定の画像を表示させる表示制御部と、
前記ユーザ端末によって前記所定の画像が取得された場合に、前記ユーザ端末から送信される、前記所定の画像に基づいた第１情報を受け付ける情報受付部と、を備え、
前記関連付け部は、前記店舗端末の前記表示部に表示される前記所定の画像と、前記情報受付部によって受け付ける第１情報とに基づいて、前記店舗端末と前記ユーザ端末とを関連付ける
請求項１に記載の情報処理装置。
【請求項３】
前記通信制御部は、到着した商品を注文した端末が前記ユーザ端末の場合、当該ユーザ端末に対して通知を行う
請求項１又は２に記載の情報処理装置。
【請求項４】
前記注文受付部は、前記店舗端末を識別する第２情報と、前記ユーザ端末を識別する第３情報と、前記店舗端末及び前記ユーザ端末それぞれから注文される商品とを関連付け、
前記通信制御部は、商品を配送する場合に、当該商品に関連付けられる第２情報及び第３情報に基づいて、前記商品を注文した前記店舗端末及び前記ユーザ端末のいずれかを特定した状態で通知を行う
請求項１〜３のいずれか１項に記載の情報処理装置。
【請求項５】
前記注文受付部によって、前記店舗端末の第２情報と、前記ユーザ端末の第３情報と、前記店舗端末及び前記ユーザ端末それぞれから注文される商品との関連付けに基づいて、前記店舗端末及び前記ユーザ端末それぞれで注文した商品について、前記店舗端末及び前記ユーザ端末のそれぞれに対して会計伝票を発行する伝票発行部を備える
請求項４に記載の情報処理装置。
【請求項６】
前記ユーザ端末で処理される決済アプリの動作に基づいて、前記伝票発行部から前記ユーザ端末に対して発行した会計伝票に応じた決済を受け付ける決済受付部を備える
請求項５に記載の情報処理装置。
【請求項７】
店舗に配される店舗端末と、
ユーザが使用するユーザ端末と、
前記店舗端末及び前記ユーザ端末それぞれと通信を行うことが可能な情報処理装置と、を備え、
前記情報処理装置は、
前記店舗端末及び前記ユーザ端末それぞれと通信する場合に、前記店舗端末及び前記ユーザ端末を関連付ける関連付け部と、
前記店舗端末及び前記ユーザ端末それぞれから、前記店舗端末及び前記ユーザ端末を特定した状態で商品の注文を受け付ける注文受付部と、
前記注文受付部によって受け付けた注文に基づいて商品が到着した場合、前記注文受付部による商品を注文した前記店舗端末及び前記ユーザ端末の特定に基づいて、商品を注文した前記店舗端末及び前記ユーザ端末を特定した状態で、前記店舗端末及び前記ユーザ端末の少なくとも１つに対して商品が到着した旨の通知を行う制御部と、
を備える情報処理システム。
【請求項８】
店舗に配される店舗端末、及び、ユーザが使用するユーザ端末との間で通信を行うことが可能な通信部を備えるコンピュータが、
前記店舗端末及び前記ユーザ端末それぞれと前記通信部が通信する場合に、前記店舗端末及び前記ユーザ端末を関連付ける関連付けステップと、
前記店舗端末及び前記ユーザ端末それぞれから、前記店舗端末及び前記ユーザ端末を特定した状態で商品の注文を受け付ける注文受付ステップと、
前記注文受付ステップによって受け付けた注文に基づいて商品が到着した場合、前記注文受付ステップによる商品を注文した前記店舗端末及び前記ユーザ端末の特定に基づいて、商品を注文した前記店舗端末及び前記ユーザ端末を特定した状態で、前記店舗端末及び前記ユーザ端末の少なくとも１つに対して商品が到着した旨の通知を行うよう前記通信部を制御する通信制御ステップと、
を実行する情報処理方法。
【請求項９】
コンピュータに、
店舗に配される店舗端末、及び、ユーザが使用するユーザ端末との間で通信を行うことが可能な通信機能と、
前記店舗端末及び前記ユーザ端末それぞれ前記通信機能が通信する場合に、前記店舗端末及び前記ユーザ端末を関連付ける関連付け機能と、
前記店舗端末及び前記ユーザ端末それぞれから、前記店舗端末及び前記ユーザ端末を特定した状態で商品の注文を受け付ける注文受付機能と、
前記注文受付機能によって受け付けた注文に基づいて商品が到着した場合、前記注文受付機能による商品を注文した前記店舗端末及び前記ユーザ端末の特定に基づいて、商品を注文した前記店舗端末及び前記ユーザ端末を特定した状態で、前記店舗端末及び前記ユーザ端末の少なくとも１つに対して商品が到着した旨の通知を行うよう前記通信機能を制御する通信制御機能と、
を実現させる情報処理プログラム。
【発明の詳細な説明】
【技術分野】
【０００１】
本発明は、情報処理装置、情報処理システム、情報処理方法及び情報処理プログラムに関する。
【背景技術】
【０００２】
従来から、商品及びサービスを提供する店舗では、複数のユーザが１つのグループとして来店することがある。その場合、グループ客では、それぞれのユーザが注文を行って会計（個別会計）を行うことがあった。
そのようなグループ客に対して、個別会計を行うシステムが存在する。特許文献１に記載された技術は、１グループを構成する複数のユーザそれぞれが使用するユーザ端末から注文を行い、それぞれのユーザ端末において個別会計を行うことが記載されている。
【先行技術文献】
【特許文献】
【０００３】
【特許文献１】特開２００３−２５６５２２号公報
【発明の概要】
【発明が解決しようとする課題】
【０００４】
店舗においては、グループ客であっても、例えば、１人のユーザが注文する商品が複数の場合、及び、１人のユーザが商品を注文するタイミングが複数回に分かれている場合があり、しかも、商品を自動でユーザに提供する場合もある。このような場合、ユーザは、グループ内の誰が注文したのか分からないことがある。
特許文献１に記載された技術は、複数のユーザ端末それぞれからの注文と、複数のユーザ端末それぞれにおいて個別会計が可能であることが記載されるのみである。したがって、特許文献１に記載の技術では、ユーザ端末を使用するユーザは、提供される商品がグループ内の誰が注文したのか把握することができない。
【０００５】
本発明は、グループ内のどの端末が注文した商品なのかユーザに把握させることができる情報処理装置、情報処理システム、情報処理方法及び情報処理プログラムを提供することを目的とする。
【課題を解決するための手段】
【０００６】
一態様の情報処理装置は、店舗に配される店舗端末、及び、ユーザが使用するユーザ端末との間で通信を行うことが可能な通信部と、店舗端末及びユーザ端末それぞれと通信部が通信する場合に、店舗端末及びユーザ端末を関連付ける関連付け部と、店舗端末及びユーザ端末それぞれから、店舗端末及びユーザ端末を特定した状態で商品の注文を受け付ける注文受付部と、注文受付部によって受け付けた注文に基づいて商品が到着した場合、注文受付部による商品を注文した店舗端末及びユーザ端末の特定に基づいて、商品を注文した店舗端末及びユーザ端末を特定した状態で、店舗端末及びユーザ端末の少なくとも１つに対して商品が到着した旨の通知を行うよう通信部を制御する通信制御部と、を備える。
【０００７】
一態様の情報処理装置は、店舗端末に配される表示部に所定の画像を表示させる表示制御部と、ユーザ端末によって所定の画像が取得された場合に、ユーザ端末から送信される、所定の画像に基づいた第１情報を受け付ける情報受付部と、を備え、関連付け部は、店舗端末の表示部に表示される所定の画像と、情報受付部によって受け付ける第１情報とに基づいて、店舗端末とユーザ端末とを関連付けることとしてもよい。
【０００８】
一態様の情報処理装置では、通信制御部は、到着した商品を注文した端末がユーザ端末の場合、そのユーザ端末に対して通知を行うこととしてもよい。
【０００９】
一態様の情報処理装置では、注文受付部は、店舗端末を識別する第２情報と、ユーザ端末を識別する第３情報と、店舗端末及びユーザ端末それぞれから注文される商品とを関連付け、通信制御部は、商品を配送する場合に、その商品に関連付けられる第２情報及び第３情報に基づいて、商品を注文した店舗端末及びユーザ端末のいずれかを特定した状態で通知を行うこととしてもよい。
【００１０】
一態様の情報処理装置は、注文受付部によって、店舗端末の第２情報と、ユーザ端末の第３情報と、店舗端末及びユーザ端末それぞれから注文される商品との関連付けに基づいて、店舗端末及びユーザ端末それぞれで注文した商品について、店舗端末及びユーザ端末のそれぞれに対して会計伝票を発行する伝票発行部を備えることとしてもよい。
【００１１】
一態様の情報処理装置は、ユーザ端末で処理される決済アプリの動作に基づいて、伝票発行部からユーザ端末に対して発行した会計伝票に応じた決済を受け付ける決済受付部を備えることとしてもよい。
【００１２】
一態様の情報処理システムは、店舗に配される店舗端末と、ユーザが使用するユーザ端末と、店舗端末及びユーザ端末それぞれと通信を行うことが可能な情報処理装置と、を備え、情報処理装置は、店舗端末及びユーザ端末それぞれと通信する場合に、店舗端末及びユーザ端末を関連付ける関連付け部と、店舗端末及びユーザ端末それぞれから、店舗端末及びユーザ端末を特定した状態で商品の注文を受け付ける注文受付部と、注文受付部によって受け付けた注文に基づいて商品が到着した場合、注文受付部による商品を注文した店舗端末及びユーザ端末の特定に基づいて、商品を注文した店舗端末及びユーザ端末を特定した状態で、店舗端末及びユーザ端末の少なくとも１つに対して商品が到着した旨の通知を行う制御部と、を備える。
【００１３】
一態様の情報処理方法では、店舗に配される店舗端末、及び、ユーザが使用するユーザ端末との間で通信を行うことが可能な通信部を備えるコンピュータが、店舗端末及びユーザ端末それぞれと通信部が通信する場合に、店舗端末及びユーザ端末を関連付ける関連付けステップと、店舗端末及びユーザ端末それぞれから、店舗端末及びユーザ端末を特定した状態で商品の注文を受け付ける注文受付ステップと、注文受付ステップによって受け付けた注文に基づいて商品が到着した場合、注文受付ステップによる商品を注文した店舗端末及びユーザ端末の特定に基づいて、商品を注文した店舗端末及びユーザ端末を特定した状態で、店舗端末及びユーザ端末の少なくとも１つに対して商品が到着した旨の通知を行うよう通信部を制御する通信制御ステップと、を実行する。
【００１４】
一態様の情報処理プログラムは、コンピュータに、店舗に配される店舗端末、及び、ユーザが使用するユーザ端末との間で通信を行うことが可能な通信機能と、店舗端末及びユーザ端末それぞれ通信機能が通信する場合に、店舗端末及びユーザ端末を関連付ける関連付け機能と、店舗端末及びユーザ端末それぞれから、店舗端末及びユーザ端末を特定した状態で商品の注文を受け付ける注文受付機能と、注文受付機能によって受け付けた注文に基づいて商品が到着した場合、注文受付機能による商品を注文した店舗端末及びユーザ端末の特定に基づいて、商品を注文した店舗端末及びユーザ端末を特定した状態で、店舗端末及びユーザ端末の少なくとも１つに対して商品が到着した旨の通知を行うよう通信機能を制御する通信制御機能と、を実現させる。
【発明の効果】
【００１５】
一態様の情報処理装置は、店舗端末及びユーザ端末それぞれと通信する場合に、店舗端末及びユーザ端末を関連付け、店舗端末及びユーザ端末それぞれから、店舗端末及びユーザ端末を特定した状態で商品の注文を受け付け、注文した商品が到着した場合にその商品を注文した店舗端末及びユーザ端末の特定に基づいて、商品を注文した店舗端末及びユーザ端末を特定した状態で、店舗端末及びユーザ端末の少なくとも１つに対して商品が到着した旨の通知を行うので、グループ内のどの端末が注文した商品なのかユーザに把握させることができる。
一態様の情報処理システム、情報処理方法及び情報処理プログラムは、上述した一態様の情報処理装置と同様の効果を奏することができる。
【図面の簡単な説明】
【００１６】
【図１】一実施形態に係る情報処理システムについて説明するための図である。
【図２】一実施形態に係る情報処理システムについて説明するためのブロック図である。
【図３】店舗端末の表示部に表示される画像の一例について説明するための第１の図である。
【図４】店舗端末の表示部に表示される画像の一例について説明するための第２の図である。
【図５】一実施形態に係る情報処理方法について説明するためのフローチャートである。
【発明を実施するための形態】
【００１７】
以下、本発明の一実施形態について説明する。
本明細書では、「情報」の文言を使用しているが、「情報」の文言は「データ」と言い換えることができ、「データ」の文言は「情報」と言い換えることができる。
【００１８】
まず、一実施形態に係る情報処理システム１の概要について説明する。
図１は、一実施形態に係る情報処理システム１について説明するための図である。
【００１９】
情報処理システム１は、店舗端末１０、ユーザ端末２０及び情報処理装置３０を備える。
【００２０】
店舗端末１０は、店舗に配される。店舗端末１０は、例えば、タブレット等であってもよい。店舗は、例えば、料理を提供する飲食店及び商品を販売する販売店等であってもよい。具体的な一例として、店舗は、回転寿司店であってもよい。店舗端末１０は、例えば、料理を提供する飲食店（店舗）において、座席（テーブル）毎に少なくとも１つ配されてもよい。店舗端末１０は、例えば、料理（商品）を注文する際に利用される。また、店舗端末１０は、例えば、料理（商品）の会計をする際に利用される。店舗端末１０は、まず、複数のユーザを１つのグループとして識別するために、例えば、ＱＲ（Ｑｕｉｃｋ  Ｒｅｓｐｏｎｓｅ）コード（登録商標）等の２次元情報コードを表示する。すなわち、店舗端末１０は、情報処理装置３０から送信される２次元情報コードを表示する。
【００２１】
ユーザ端末２０は、ユーザが使用する端末である。例えば、ユーザ端末２０は、ユーザが所有する端末であってもよい。すなわち、ユーザ端末２０は、店舗に備え付けの端末でなくともよい。ユーザ端末２０は、例えば、スマートフォン及びタブレット等であってもよい。ユーザ端末２０は、１又は複数有ってもよい。ユーザ端末２０は、カメラ部等を利用して店舗端末１０に表示される２次元情報コードを読み取り、２次元情報コードに基づいた識別情報を情報処理装置３０に送信する。なお、図１に例示する場合にはユーザ端末２０は３つ有るがこの一例に限定されることはなく、ユーザ端末２０の数は２つ以下であってもよく、４つ以上であってもよい。
【００２２】
情報処理装置３０は、例えば、サーバ、コンピュータ及びラップトップ等であってもよい。情報処理装置３０は、例えば、店舗に配されてもよく、１又は複数の店舗を管理する管理本部等に配されてもよい。
情報処理装置３０は、上述したように、２次元情報コードを店舗端末１０に送信する。情報処理装置３０は、座席（テーブル毎に）異なる２次元情報コード（一例として、ワンタイムＱＲコード等）を発行することが可能であり、例えば、２次元情報コードによって座席（テーブル）、すなわち、複数のユーザであるグループを識別することが可能になる。情報処理装置３０は、ユーザ端末２０から識別情報を取得する。情報処理装置３０は、識別情報に基づいて座席（テーブル）を識別することが可能であり、店舗端末１０に送信した２次元情報コードと、ユーザ端末２０から送信される識別情報とに基づいて、座席（テーブル）、すなわち複数のユーザを１つのグループとして識別することが可能である。
【００２３】
また、情報処理装置３０は、１つのグループにつき、店舗端末１０及びユーザ端末２０を識別することが可能である。情報処理装置３０は、店舗端末１０及びユーザ端末２０それぞれから商品の注文を受け付けることが可能である。この場合、情報処理装置３０は、識別情報に基づいて、商品を注文した店舗端末１０及びユーザ端末２０を識別することが可能である。情報処理装置３０は、注文された商品を座席（テーブル）に提供する場合、その商品を注文した店舗端末１０及びユーザ端末２０のいずれかを特定した状態で、店舗端末１０及びユーザ端末２０の少なくとも１つに対して、商品を提供したことを示す通知を行う。
【００２４】
次に、上述した情報処理システム１を構成する情報処理装置３０の詳細について説明する。
図２は、一実施形態に係る情報処理システム１について説明するためのブロック図である。
【００２５】
情報処理装置３０は、通信部３９、表示制御部３２、情報受付部３３、関連付け部３４、注文受付部３５、通信制御部３６、伝票発行部３７及び決済受付部３８を備える。表示制御部３２、情報受付部３３、関連付け部３４、注文受付部３５、通信制御部３６、伝票発行部３７及び決済受付部３８は、情報処理装置３０の制御部３１（例えば、演算処理装置）の一機能として実現されてもよい。
【００２６】
通信部３９は、店舗端末１０及びユーザ端末２０との間で通信を行うことが可能である。すなわち、通信部３９は、店舗端末１０及びユーザ端末２０それぞれとの間で情報の送受信が可能である。
【００２７】
表示制御部３２は、店舗端末１０に配される表示部１１に所定の画像を表示させる。すなわち、表示制御部３２は、通信部３９を介して、所定の画像に関する情報を店舗端末１０に送信する。所定の画像は、例えば、上述したように、ＱＲコード等の２次元情報コードであってもよい。また、所定の画像は、例えば、文字、記号及び数字等からなる文字列であってもよい。表示制御部３２は、例えば、複数のテーブルそれぞれに１つの店舗端末１０が配される場合には、店舗端末１０毎に異なるＱＲコード等の２次元情報コードを表示させてもよい。
【００２８】
ここで、店舗端末１０は、例えば、複数のユーザからなるグループが店舗に来店して座席（テーブル）に着席した場合、例えば、それぞれのユーザが使用するユーザ端末２０をグループに登録するために、「グループ登録」ボタン（図３に一例を示す場合では「ユーザ端末２０で注文」ボタン２１２）等の所定の操作画像を表示する。店舗端末１０は、例えば、ユーザによって「グループ登録」ボタンが操作された場合、情報処理装置３０に対して２次元情報コードの発行を要求する発行要求情報を送信することとしてもよい。店舗端末１０は、自機を識別するための識別情報を発行要求情報に含ませてもよい。店舗端末１０の識別情報は、店舗に配される座席（テーブル）を識別する情報が含まれていてもよい。
【００２９】
情報処理装置３０は、通信部３９を介して、店舗端末１０から発行要求情報を受け付けると、その店舗端末１０に対して、店舗端末１０とユーザ端末２０とを関連付けるための２次元情報コードを送信する。ここで、情報処理装置３０は、例えば、店舗端末１０（店舗端末１０の識別情報）と、２次元情報コードとを関連付けることとしてもよい。
【００３０】
情報受付部３３は、ユーザ端末２０によって所定の画像（例えば、２次元情報コード等）が取得された場合に、ユーザ端末２０から送信される、所定の画像（例えば、２次元情報コード等）に基づいた第１情報を受け付けることとしてもよい。
ユーザ端末２０は、例えば、カメラ部等によって店舗端末１０の表示部１１に表示される２次元情報コードを読み取ると、２次元情報コードに基づいた第１情報を情報処理装置３０に送信する。又は、ユーザ端末２０は、例えば、所定の画像が文字列の場合には、ユーザ端末２０の入力キー（図示せず）等が操作されることに応じて、その文字列が入力されると、その文字列を含む第１情報を情報処理装置３０に送信してもよい。ユーザ端末２０は、例えば、自機の識別情報、及び、２次元情報コード（文字列）に紐づく種々の情報等を第１情報に含ませてもよい。
情報処理装置３０は、上述した一例のようにユーザ端末２０から送信される第１情報を、通信部３９を介して受け付ける。
【００３１】
関連付け部３４は、店舗端末１０及びユーザ端末２０それぞれと通信部３９が通信する場合に、店舗端末１０及びユーザ端末２０を関連付ける。関連付け部３４は、店舗端末１０の表示部１１に表示される所定の画像（例えば、２次元情報コード等）と、情報受付部３３によって受け付ける第１情報とに基づいて、店舗端末１０とユーザ端末２０とを関連付けることとしてもよい。すなわち、関連付け部３４は、例えば、店舗端末１０から送信される発行要求情報（店舗端末１０の識別情報）、所定の画像に関する情報、及び、ユーザ端末２０から送信される第１情報に基づいて、店舗端末１０と１又は複数のユーザ端末２０とを関連付けることとしてもよい。関連付け部３４は、１つのグループを構成するユーザのユーザ端末２０と、そのグループが着席する座席（テーブル）に配される店舗端末１０とを、１つのグループとして関連付ける。
【００３２】
関連付け部３４は、店舗端末１０とユーザ端末２０とを１つのグループとして関連付けた場合、店舗端末１０及びユーザ端末２０のうち少なくともユーザ端末２０に対して、グループ内において識別する番号、文字、記号及び符号を設定してもよい。すなわち、関連付け部３４は、一例として、１つのグループに３つのユーザ端末２０が有る場合には、それぞれのユーザ端末２０に異なる文字（一例として、「Ａ」、「Ｂ」及び「Ｃ」等）を設定し、その文字（設定情報）をユーザ端末２０に送信してもよい。
【００３３】
注文受付部３５は、店舗端末１０及びユーザ端末２０それぞれから、店舗端末１０及びユーザ端末２０を特定した状態で商品の注文を受け付ける。店舗端末１０は、例えば、情報処理装置３０から送信される商品の注文画面を表示することとしてもよい。ユーザ端末２０は、例えば、インストールされるアプリの動作に基づいて、又は、情報処理装置３０にアクセスし、情報処理装置３０の記憶部に記憶されるプログラムの動作に基づいて、注文画面を表示部２１に表示することとしてもよい。店舗端末１０及びユーザ端末２０のそれぞれは、例えば、商品の画像及び値段を複数の商品毎に表示し、１又は複数の商品がユーザによって選択されると、選択された商品の情報（注文情報）を情報処理装置３０に送信する。店舗端末１０及びユーザ端末２０は、例えば、自機の識別情報を注文情報に含ませてもよい。注文受付部３５は、通信部３９を介して注文情報を受け付けることにより、商品を注文した店舗端末１０及びユーザ端末２０それぞれを特定した状態で、商品の注文を受け付ける。
【００３４】
注文受付部３５は、店舗端末１０を識別する識別情報（第２情報）と、ユーザ端末２０を識別する識別情報（第３情報）と、店舗端末１０及びユーザ端末２０それぞれから注文される商品とを関連付けることとしてもよい。すなわち、注文受付部３５は、店舗端末１０からの注文情報に基づいて、その店舗端末１０の識別情報と、その店舗端末１０において注文された商品とを関連付ける。また、注文受付部３５は、ユーザ端末２０からの注文情報に基づいて、そのユーザ端末２０の識別情報と、そのユーザ端末２０において注文された商品とを関連付ける。注文受付部３５は、上述した関連付け部３４において店舗端末１０とユーザ端末２０とが関連付けられ、また店舗端末１０の識別情報に基づいて座席（テーブル）を特定できるため、店舗のどの座席（テーブル）に着席するグループのどの端末（店舗端末１０及びユーザ端末２０のいずれか）が注文した商品なのか特定することが可能である。
【００３５】
通信制御部３６は、注文受付部３５によって受け付けた注文に基づいて商品が到着した場合、注文受付部３５による商品を注文した店舗端末１０及びユーザ端末２０の特定に基づいて、商品を注文した店舗端末１０及びユーザ端末２０を特定した状態で、店舗端末１０及びユーザ端末２０の少なくとも１つに対して商品が到着した旨の通知を行うよう通信部３９を制御する。通信制御部３６は、商品を提供（配送）する場合に、その商品に関連付けられる店舗端末１０の識別情報（第２情報）及びユーザ端末２０の識別情報（第３情報）に基づいて、商品を注文した店舗端末１０及びユーザ端末２０のいずれかを特定した状態で通知を行うこととしてもよい。一例として、通信制御部３６は、注文受付部３５によって受け付けた注文情報に基づいて店舗の従業員が商品を用意し、その商品を座席に提供した場合、その座席に配される店舗端末１０に対して、提供した商品の種類と、その商品を注文した端末（店舗端末１０又はユーザ端末２０）とを含む提供情報を送信する。店舗端末１０は、提供情報に基づいて、提供された商品の種類と、その商品を注文した端末（店舗端末１０又はユーザ端末２０）を示す情報とを表示する。
【００３６】
なお、通信制御部３６は、到着した商品を注文した端末がユーザ端末２０の場合、そのユーザ端末２０に対して通知を行うこととしてもよい。すなわち、通信制御部３６は、例えば、提供された商品がユーザ端末２０から注文された商品の場合には、注文情報に基づいて特定されるユーザ端末２０に対して、提供情報を送信してもよい。ユーザ端末２０は、提供情報に基づいて、提供された商品の種類と、その商品が自機から注文したことを表示する。
【００３７】
商品の提供を受けたグループは、退店する場合に商品に関する会計を行う。この場合、店舗端末１０及びユーザ端末２０のうちの１機は、自機に表示される「会計」ボタンがユーザによって操作されることに基づいて、会計を要求する情報（会計要求情報）を情報処理装置３０に送信する。
【００３８】
伝票発行部３７は、通信部３９を介して、会計要求情報を受け付ける。伝票発行部３７は、会計要求情報を受け付けると、注文受付部３５によって、店舗端末１０の識別情報（第２情報）と、ユーザ端末２０の識別情報（第３情報）と、店舗端末１０及びユーザ端末２０それぞれから注文される商品との関連付けに基づいて、店舗端末１０及びユーザ端末２０それぞれで注文した商品について、店舗端末１０及びユーザ端末２０のそれぞれに対して会計伝票を発行することとしてもよい。伝票発行部３７は、例えば、店舗端末１０又はユーザ端末２０において全ての商品をまとめて会計するための第１ボタンが操作された場合、当該操作に基づいて店舗端末１０又はユーザ端末２０から送信される合計会計要求情報に基づいて、店舗端末１０及びユーザ端末２０のいずれか１機に対して、商品の合計金額の会計伝票に関する情報（伝票情報）を送信することとしてもよい。また、伝票発行部３７は、例えば、店舗端末１０及びユーザ端末２０それぞれで注文された商品を個別に会計するための第２ボタンが操作された場合、当該操作に基づいて店舗端末１０又はユーザ端末２０から送信される個別会計要求情報に基づいて、店舗端末１０及びユーザ端末２０それぞれに対して、自機から注文した商品の金額の会計伝票に関する情報（伝票情報）を送信することとしてもよい。
【００３９】
決済受付部３８は、ユーザ端末２０で処理される決済アプリの動作に基づいて、伝票発行部３７からユーザ端末２０に対して発行した会計伝票に応じた決済を受け付けることとしてもよい。ユーザ端末２０は、例えば、伝票情報を受信した場合、インストールされるアプリの動作に基づいて、又は、決済を行うことが可能なアプリと協働した動作に基づいて、伝票情報に基づいて請求される商品の会計金額の支払い決済を要求することができる。すなわち、ユーザ端末２０は、伝票情報に基づいた支払の決済を要求する情報（決済要求情報）を情報処理装置３０に装置する。決済受付部３８は、通信部３９を介して決済要求情報を受け付けた場合、決済要求情報に基づいて商品の会計金額を決済することが可能である。
なお、ユーザ端末２０は、自機にインストールされるアプリ（例えば、決済アプリ等）の動作に基づいて、商品の注文等を始めとする種々の処理を行ってもよく、この他に、Ｗｅｂブラウザ上で動作するアプリ（例えば、決済アプリ等）、例えば、情報処理装置に記憶されるアプリ等の動作に基づくＷｅｂページにおいて、商品の注文等を始めとする種々の処理を行ってもよい。
【００４０】
次に、店舗端末１０の表示部１１に表示される画像の一例について説明する。
図３は、店舗端末１０の表示部１１に表示される画像の一例について説明するための第１の図である。
図４は、店舗端末１０の表示部１１に表示される画像の一例について説明するための第２の図である。
【００４１】
表示制御部３２は、まず、商品の注文画面を店舗端末１０の表示部１１に表示させる。図３は、回転寿司店における寿司の注文画面を示す。注文画面は、複数のタブ２１１を有し、タブ２１１毎に異なる種類の寿司を注文することが可能になる。
注文画面には、例えば、ユーザ端末２０から寿司の注文を可能にするためのボタン（一例として「ユーザ端末で注文」ボタン２１２等）が表示される。表示制御部３２は、店舗端末１０において「ユーザ端末で注文」ボタン２１２が操作されることに応じて発行要求情報が送信された場合、ＱＲコード等の２次元情報コードを店舗端末１０の表示部１１に表示させる。
【００４２】
店舗端末１０及びユーザ端末２０から注文された寿司は、例えば、店舗端末１０に表示される。すなわち、表示制御部３２は、注文受付部３５によって店舗端末１０及びユーザ端末２０から注文情報を受け付けると、注文情報に基づいて注文された寿司に関する情報（商品情報）２１３を店舗端末１０に表示させる。図３に例示する場合には、表示制御部３２は、注文情報に応じた商品の情報を店舗端末１０に送信し、商品情報に基づいて、注文された寿司の商品名、画像及び値段等を店舗端末１０の表示部１１に表示させる。この場合、表示制御部３２は、注文された寿司であることを示す画像（一例として「注文中」画像）を店舗端末１０の表示部１１に表示させてもよい。また、表示制御部３２は、注文した端末（店舗端末１０及びユーザ端末２０）を特定する画像を店舗端末１０の表示部１１に表示させてもよい。表示制御部３２は、注文された寿司が複数有る場合には、例えば、スクロールすることにより全ての注文された寿司を表示させるようにしてもよく、所定の操作がされた場合に注文された寿司の一覧を表示部１１の全画面（又は、画面の一部）に表示させてもよい。
【００４３】
また、厨房からテーブルに寿司が提供される場合、すなわち一例として寿司店に配される搬送レーン等を備える搬送装置（図示せず）が利用されることにより寿司がテーブルに提供される場合、例えば、厨房等にある搬送装置が従業員によって操作されることにより、注文情報に応じた寿司がテーブルに搬送される。この場合、例えば、搬送装置は、注文情報と、提供される寿司の情報とを情報処理装置３０に提供する。情報処理装置３０は、搬送装置から送信された情報に基づいて、提供される寿司の情報を、該当するテーブルに配される店舗端末１０に通知する。すなわち、通信制御部３６は、提供される寿司の情報（提供商品情報）２１４を、その寿司を注文した端末（店舗端末１０及びユーザ端末２０）を特定した状態で店舗端末１０の表示部１１に表示させる。図３に例示する場合、通信制御部３６は、提供された寿司の商品名、画像及び値段等を店舗端末１０の表示部１１に表示させる。この場合、通信制御部３６は、提供された寿司であることを示す画像（一例として、「提供済」画像）、及び、その寿司を提供したユーザ端末２０の番号、文字、記号及び符号等の画像（一例として「Ａ」画像）を店舗端末１０の表示部１１に表示させる。すなわち、通信制御部３６は、注文情報及び設定情報に基づいて、提供される寿司を注文したユーザ端末２０を特定し、そのユーザ端末２０に設定された番号、文字、記号及び符号等の画像（図３では「Ａ」画像）を店舗端末１０に表示させる。なお、通信制御部３６は、店舗端末１０から注文された寿司に関する提供の通知を行う場合には、店舗端末１０について固有の画像を表示させてもよく、店舗端末１０についての設定情報が有る場合には設定情報に基づいて店舗端末１０に設定された番号、文字、記号及び符号等の画像を表示させてもよい。
【００４４】
図４は、会計に関する画面の一例を示す。
伝票発行部３７は、店舗端末１０に表示される「会計」ボタン（図示せず）等が操作された場合、図４（Ａ）に一例を示す画面を店舗端末１０の表示部１１に表示させる。伝票発行部３７は、例えば、注文情報及び設定情報に基づいて、図４（Ａ）に一例を示すように、店舗端末１０から注文された寿司の合計金額、３つのユーザ端末２０それぞれから注文された寿司の合計金額が表示される。この場合、図４（Ａ）に一例を示す画面には、例えば、個別会計を行うための第２ボタン（一例として、「端末毎に支払う」ボタン２１５等）、及び、一括会計を行うための第１ボタン（一例として、「まとめて支払う」ボタン２１６等）が表示される。
【００４５】
伝票発行部３７は、図４（Ａ）に一例を示す「端末毎に支払う」ボタン２１５が操作された場合、図４（Ｂ）に一例を示す画像を店舗端末１０に表示させる。同様に、伝票発行部３７は、複数のユーザ端末２０それぞれに対して、自機から注文した寿司の合計金額を表示させる。伝票発行部３７は、例えば、注文情報及び設定情報に基づいて、それぞれの端末（店舗端末１０及びユーザ端末２０）に対して伝票情報を送信する。伝票発行部３７は、一例として図４（Ｂ）に示すように、店舗端末１０から注文された寿司の合計金額に関する画像を店舗端末１０の表示部１１に表示させる。店舗端末１０は、例えば、「伝票印刷」ボタン（図示せず）等が操作された場合には、プリンタ（図示せず）等によって店舗端末１０から注文された寿司の合計金額の伝票が発行される。
同様に、伝票発行部３７は、複数のユーザ端末２０それぞれに対しても、図４（Ｂ）に一例を示す画像と同様の画像をユーザ端末２０の表示部２１に表示させる。ユーザ端末２０は、例えば、「伝票表示」ボタン（図示せず）等が操作された場合には、会計金額等が記録されるＱＲコード等の２次元情報コード等を表示可能である。
【００４６】
伝票発行部３７は、図４（Ａ）に一例を示す「まとめて支払う」ボタン２１６が操作された場合、図４（Ｃ）に一例を示す画像を店舗端末１０に表示させる。なお、伝票発行部３７は、「まとめて支払う」ボタン２１６が操作されることに応じて、まとめて支払う端末（店舗端末１０及びユーザ端末２０）が選択される場合には、選択された端末に対して図４（Ｃ）に一例を示す画像と同様の画像を表示させてもよい。店舗端末１０は、例えば、「伝票印刷」ボタン（図示せず）等が操作された場合には、プリンタ（図示せず）等によって店舗端末１０から注文された寿司の合計金額の伝票が発行される。一方、まとめて支払う端末としてユーザ端末２０が選択された場合には、ユーザ端末２０は、例えば、「伝票表示」ボタン（図示せず）等が操作された場合には、会計金額等が記録されるＱＲコード等の２次元情報コード等を表示可能である。
なお、伝票発行部３７によって発行される伝票は、用紙に印刷された伝票に限定されることはなく、例えば、端末１０，２０の表示部１１，２１に表示される伝票であってもよい。すなわち、伝票は、電子的な伝票であってもよい。
【００４７】
次に、一実施形態に係る情報処理方法について説明する。
図５は、一実施形態に係る情報処理方法について説明するためのフローチャートである。
【００４８】
ステップＳＴ１０１において、表示制御部３２は、店舗端末１０から発行要求情報を受け付けた場合、所定の画像に関する情報を店舗端末１０に送信する。所定の画像は、例えば、ＱＲコード等の２次元情報コードであってもよい。また、所定の画像には、例えば、文字、記号及び数字等からなる文字列も含まれてもよい。
【００４９】
ステップＳＴ１０２において、情報受付部３３は、ステップＳＴ１０１で送信した所定の画像がユーザ端末２０によって取得された場合に、ユーザ端末２０から送信される、所定の画像に基づいた第１情報を受け付ける。第１情報は、例えば、ユーザ端末２０の識別情報、及び、所定の画像に紐づく種々の情報等を含んでいてもよい。
【００５０】
ステップＳＴ１０３において、関連付け部３４は、ステップ１０１で店舗端末１０に送信した所定の画像と、ステップＳＴ１０２で受け付けた第１情報とに基づいて、店舗端末１０とユーザ端末２０とを関連付ける。すなわち、関連付け部３４は、店舗端末１０と１又は複数のユーザ端末２０とを１つのグループとして関連付ける。
【００５１】
ステップＳＴ１０４において、注文受付部３５は、店舗端末１０及びユーザ端末２０それぞれから、店舗端末１０及びユーザ端末２０を特定した状態で商品の注文（注文情報）を受け付ける。
【００５２】
ステップＳＴ１０５において、注文受付部３５は、店舗端末１０を識別する識別情報（第２情報）と、ユーザ端末２０を識別する識別情報（第３情報）と、店舗端末１０及びユーザ端末２０それぞれから注文される商品とを関連付ける。
【００５３】
ステップＳＴ１０６において、通信制御部３６は、ステップＳＴ１０４で受け付けた注文に応じて商品をユーザに提供する場合、その商品を注文した店舗端末１０及びユーザ端末２０を特定した状態で、店舗端末１０及びユーザ端末２０の少なくとも１つに対して商品が到着した旨の通知を行う。例えば、通信制御部３６は、商品をユーザに提供する場合に、ステップＳＴ１０５での関連付けに基づいて、商品を注文した店舗端末１０及びユーザ端末２０のいずれかを特定した状態で通知を行う。なお、通信制御部３６は、到着した商品を注文した端末がユーザ端末２０の場合、そのユーザ端末２０に対して通知を行うこととしてもよい。
【００５４】
ステップＳＴ１０７において、伝票発行部３７は、会計要求情報を受け付けると、例えば、ステップＳＴ１０５の関連付けに基づいて、店舗端末１０及びユーザ端末２０それぞれで注文した商品についての会計伝票を発行する。この場合、伝票発行部３７は、例えば、個別会計を行うための会計伝票を店舗端末１０及びユーザ端末２０のそれぞれに対して発行してもよく、一括会計（まとめて会計）を行うための会計伝票を店舗端末１０及びユーザ端末２０のいずれかに対して発行してもよい。
【００５５】
ステップＳＴ１０８において、決済受付部３８は、ユーザ端末２０で実行される決済アプリの動作に基づいて、ステップＳＴ１０８でユーザ端末２０に対して発行した会計伝票に応じた決済を受け付ける。又は、決済受付部３８は、店舗に配されるレジと協働して、店舗端末１０及びユーザ端末２０に対して発行した会計伝票に基づいた決済を受け付けることとしてもよい。
【００５６】
次に、本実施形態の効果について説明する。
情報処理装置３０は、店舗端末１０及びユーザ端末２０それぞれと通信部３９が通信する場合に、店舗端末１０及びユーザ端末２０を関連付ける関連付け部３４と、店舗端末１０及びユーザ端末２０それぞれから、店舗端末１０及びユーザ端末２０を特定した状態で商品の注文を受け付ける注文受付部３５と、注文受付部３５によって受け付けた注文に基づいて商品が到着した場合、注文受付部３５による商品を注文した店舗端末１０及びユーザ端末２０の特定に基づいて、商品を注文した店舗端末１０及びユーザ端末２０を特定した状態で、店舗端末１０及びユーザ端末２０の少なくとも１つに対して商品が到着した旨の通知を行うよう通信部３９を制御する通信制御部３６と、を備える。
これにより、情報処理装置３０は、ユーザが使用するユーザ端末２０を店舗に配される店舗端末１０に関連付けることにより、１つのグループとして認識することができる。情報処理装置３０は、グループを構成するユーザ（店舗端末１０及びユーザ端末２０）それぞれからの商品の注文を特定することにより、どの端末（店舗端末１０及びユーザ端末２０）からの注文なのかを識別することができ、商品をユーザに提供する場合にグループ内のどのユーザ（店舗端末１０及びユーザ端末２０）による注文なのかを通知することができる。すなわち、情報処理装置３０は、グループ内のどの端末が注文した商品なのかユーザに把握させることができる。
【００５７】
情報処理装置３０は、店舗端末１０に配される表示部１１に所定の画像を表示させる表示制御部３２と、ユーザ端末２０によって所定の画像が取得された場合に、ユーザ端末２０から送信される、所定の画像に基づいた第１情報を受け付ける情報受付部３３と、を備えることとしてもよい。この場合、関連付け部３４は、店舗端末１０の表示部１１に表示される所定の画像と、情報受付部３３によって受け付ける第１情報とに基づいて、店舗端末１０とユーザ端末２０とを関連付けることとしてもよい。
これにより、情報処理装置３０は、店舗端末１０とユーザ端末２０とを関連付けるための所定の画像を店舗端末１０に提供し、その所定の画像をユーザ端末２０で取得することに応じた第１情報を受け付けることに基づいて、店舗端末１０とユーザ端末２０とを関連付けることができる。すなわち、情報処理装置３０は、所定の画像及び第１情報を利用して、店舗端末１０とユーザ端末２０とを１つのグループとして認識することができる。
【００５８】
情報処理装置３０では、通信制御部３６は、到着した商品を注文した端末がユーザ端末２０の場合、そのユーザ端末２０に対して通知を行うこととしてもよい。
これにより、情報処理装置３０は、商品を注文した端末と特定するための画像等を含む通知を店舗端末１０に行う他に、商品を注文したのがユーザ端末２０であるとそのユーザ端末２０に対しても通知を行うので、ユーザは自身が使用するユーザ端末２０を確認することにより注文した商品が提供されることを知ることができる。すなわち、情報処理装置３０は、ユーザの利便性を向上させることができる。
【００５９】
情報処理装置３０では、注文受付部３５は、店舗端末１０を識別する第２情報と、ユーザ端末２０を識別する第３情報と、店舗端末１０及びユーザ端末２０それぞれから注文される商品とを関連付けることしてもよい。この場合、情報処理装置３０は、通信制御部３６により、商品を配送する場合に、その商品に関連付けられる第２情報及び第３情報に基づいて、商品を注文した店舗端末１０及びユーザ端末２０のいずれかを特定した状態で通知を行うこととしてもよい。
これにより、情報処理装置３０は、店舗端末１０及びユーザ端末２０それぞれを識別する情報（第２情報及び第３情報）を利用することにより、どの端末（店舗端末１０及びユーザ端末２０）による商品の注文なのかを特定することができると共に、注文に応じて商品をユーザに提供する場合でも端末（店舗端末１０及びユーザ端末２０）を特定することができる。
すなわち、情報処理装置３０は、例えば、同一の商品を異なる複数のユーザが注文する場合、及び、多数の商品を複数のユーザが注文する場合でも。商品を注文した端末（店舗端末１０及びユーザ端末２０）に対して通知を行うことができ、ユーザの利便性を向上させることができる。
【００６０】
情報処理装置３０は、注文受付部３５によって、店舗端末１０の第２情報と、ユーザ端末２０の第３情報と、店舗端末１０及びユーザ端末２０それぞれから注文される商品との関連付けに基づいて、店舗端末１０及びユーザ端末２０それぞれで注文した商品について、店舗端末１０及びユーザ端末２０のそれぞれに対して会計伝票を発行する伝票発行部３７を備えることとしてもよい。
これにより、情報処理装置３０は、商品を注文した端末（店舗端末１０及びユーザ端末２０）を特定できるため、商品の会計を行う場合でもその特定に応じて店舗端末１０及びユーザ端末２０に対して個別会計を行うための会計伝票を発行することができる。また、情報処理装置３０は、上述したように商品を注文した端末（店舗端末１０及びユーザ端末２０）を特定できるため、グループの会計を１つにまとめた会計伝票を発行することができ、グループを構成する複数のユーザ（一例として、４人等）のうち任意の複数のユーザ（一例として２人等）が注文した商品の会計をまとめた個別会計を行うための会計伝票を発行することもできる。すなわち、情報処理装置３０は、グループのユーザが希望する形態（例えば、個別及び一括等）で会計伝票を発行することができる。
【００６１】
情報処理装置３０は、ユーザ端末２０で実行される決済アプリの動作に基づいて、伝票発行部３７からユーザ端末２０に対して発行した会計伝票に応じた決済を受け付ける決済受付部３８を備えることとしてもよい。
これにより、情報処理装置３０は、ユーザ端末２０において種々の決済を行うことが可能な場合には、ユーザが希望する決済方法又は店舗が指定する決済方法を利用して、会計伝票の応じた決済を受け付けることができる。すなわち、情報処理装置３０は、ユーザの利便性を向上させることができる。
【００６２】
情報処理システム１は、店舗端末１０、ユーザ端末２０及び情報処理装置３０を備える。このような情報処理システム１において、情報処理装置３０は、店舗端末１０及びユーザ端末２０それぞれと通信する場合に、店舗端末１０及びユーザ端末２０を関連付ける関連付け部３４と、店舗端末１０及びユーザ端末２０それぞれから、店舗端末１０及びユーザ端末２０を特定した状態で商品の注文を受け付ける注文受付部３５と、注文受付部３５によって受け付けた注文に基づいて商品が到着した場合、注文受付部３５による商品を注文した店舗端末１０及びユーザ端末２０の特定に基づいて、商品を注文した店舗端末１０及びユーザ端末２０を特定した状態で、店舗端末１０及びユーザ端末２０の少なくとも１つに対して商品が到着した旨の通知を行う通信制御部３６と、を備える。
これにより、情報処理システム１は、ユーザが使用するユーザ端末２０を店舗に配される店舗端末１０に関連付けることにより、１つのグループとして認識することができる。情報処理システム１は、グループを構成するユーザ（店舗端末１０及びユーザ端末２０）それぞれからの商品の注文を特定することにより、どの端末（店舗端末１０及びユーザ端末２０）からの注文なのかを識別することができ、商品をユーザに提供する場合にグループ内のどのユーザ（店舗端末１０及びユーザ端末２０）による注文なのかを通知することができる。すなわち、情報処理システム１は、グループ内の誰が注文した商品なのかユーザに把握させることができる。
【００６３】
情報処理方法では、店舗端末１０及びユーザ端末２０との間で通信を行うことが可能な通信部３９を備えるコンピュータが、店舗端末１０及びユーザ端末２０それぞれと通信部３９が通信する場合に、店舗端末１０及びユーザ端末２０を関連付ける関連付けステップと、店舗端末１０及びユーザ端末２０それぞれから、店舗端末１０及びユーザ端末２０を特定した状態で商品の注文を受け付ける注文受付ステップと、注文受付ステップによって受け付けた注文に基づいて商品が到着した場合、注文受付ステップによる商品を注文した店舗端末１０及びユーザ端末２０の特定に基づいて、商品を注文した店舗端末１０及びユーザ端末２０を特定した状態で、店舗端末１０及びユーザ端末２０の少なくとも１つに対して商品が到着した旨の通知を行うよう通信部３９を制御する通信制御ステップと、を実行する。
これにより、情報処理方法は、ユーザが使用するユーザ端末２０を店舗に配される店舗端末１０に関連付けることにより、１つのグループとして認識することができる。情報処理方法は、グループを構成するユーザ（店舗端末１０及びユーザ端末２０）それぞれからの商品の注文を特定することにより、どの端末（店舗端末１０及びユーザ端末２０）からの注文なのかを識別することができ、商品をユーザに提供する場合にグループ内のどのユーザ（店舗端末１０及びユーザ端末２０）による注文なのかを通知することができる。すなわち、情報処理方法は、グループ内のどの端末が注文した商品なのかユーザに把握させることができる。
【００６４】
情報処理プログラムは、コンピュータに、店舗端末１０及びユーザ端末２０それぞれ通信機能が通信する場合に、店舗端末１０及びユーザ端末２０を関連付ける関連付け機能と、店舗端末１０及びユーザ端末２０それぞれから、店舗端末１０及びユーザ端末２０を特定した状態で商品の注文を受け付ける注文受付機能と、注文受付機能によって受け付けた注文に基づいて商品が到着した場合、注文受付機能による商品を注文した店舗端末１０及びユーザ端末２０の特定に基づいて、商品を注文した店舗端末１０及びユーザ端末２０を特定した状態で、店舗端末１０及びユーザ端末２０の少なくとも１つに対して商品が到着した旨の通知を行うよう通信機能を制御する通信制御機能と、を実現させる。
これにより、情報処理プログラムは、ユーザが使用するユーザ端末２０を店舗に配される店舗端末１０に関連付けることにより、１つのグループとして認識することができる。情報処理プログラムは、グループを構成するユーザ（店舗端末１０及びユーザ端末２０）それぞれからの商品の注文を特定することにより、どの端末（店舗端末１０及びユーザ端末２０）からの注文なのかを識別することができ、商品をユーザに提供する場合にグループ内のどのユーザ（店舗端末１０及びユーザ端末２０）による注文なのかを通知することができる。すなわち、情報処理プログラムは、グループ内のどの端末が注文した商品なのかユーザに把握させることができる。
【００６５】
上述した情報処理装置３０の各部は、コンピュータの演算処理装置等の機能として実現されてもよい。すなわち、情報処理装置３０の表示制御部３２、情報受付部３３、関連付け部３４、注文受付部３５、通信制御部３６、伝票発行部３７及び決済受付部３８は、コンピュータの演算処理装置等による表示制御機能、情報受付機能、関連付け機能、注文受付機能、通信制御機能、伝票発行機能及び決済受付機能としてそれぞれ実現されてもよい。
情報処理プログラムは、上述した各機能をコンピュータに実現させることができる。情報処理プログラムは、外部メモリ又は光ディスク等の、コンピュータで読み取り可能な非一時的な記録媒体に記録されていてもよい。
また、上述したように、情報処理装置３０の各部は、コンピュータの演算処理装置等で実現されてもよい。その演算処理装置等は、例えば、集積回路等によって構成される。このため、情報処理装置３０の各部は、演算処理装置等を構成する回路として実現されてもよい。すなわち、情報処理装置３０の表示制御部３２、情報受付部３３、関連付け部３４、注文受付部３５、通信制御部３６、伝票発行部３７及び決済受付部３８は、コンピュータの演算処理装置等を構成する表示制御回路、情報受付回路、関連付け回路、注文受付回路、通信制御回路、伝票発行回路及び決済受付回路して実現されてもよい。
また、情報処理装置３０の通信部３９は、例えば、演算処理装置等の機能を含む通信機能として実現されもよい。また、情報処理装置３０の通信部３９は、例えば、集積回路等によって構成されることにより通信回路として実現されてもよい。また、情報処理装置３０の通信部３９は、例えば、複数のデバイスによって構成されることにより通信装置として構成されてもよい。
【００６６】
なお、上述した実施形態では、情報処理システム１は、店舗端末１０に２次元情報コードを表示し、ユーザ端末２０によってその２次元情報コードを読み取ることにより、店舗端末１０とユーザ端末２０とを関連付ける例について説明した。なお、実施形態によっては、情報処理システム１は、テーブル（座席）毎に異なるＱＲコード等の２次元情報コードを配置し、ユーザ端末２０によってその２次元情報コードを取得することに基づいて、テーブル（座席）に着席する複数のユーザそれぞれが使用するユーザ端末２０を関連付けることとしてもよい。
【符号の説明】
【００６７】
１  情報処理システム
１０  店舗端末
１１  表示部
２０  ユーザ端末
２１  表示部
３０  情報処理装置
３１  制御部
３２  表示制御部
３３  情報受付部
３４  関連付け部
３５  注文受付部
３６  通信制御部
３７  伝票発行部
３８  決済受付部
３９  通信部
【要約】      （修正有）【課題】グループ内の誰が注文した商品なのかユーザに把握させることができる情報処理装置、情報処理システム、情報処理方法及び情報処理プログラムを提供する。【解決手段】情報処理システム１において、情報処理装置３０は、店舗に配される店舗端末及びユーザが使用するユーザ端末との間で通信を行うことが可能な通信部と、店舗端末及びユーザ端末夫々と通信部が通信する場合に、店舗端末及びユーザ端末を関連付ける関連付け部と、店舗端末及びユーザ端末夫々から、店舗端末及びユーザ端末を特定した状態で商品の注文を受け付ける注文受付部と、受け付けた注文に基づいて商品が到着した場合、注文受付部による商品を注文した店舗端末及びユーザ端末の特定に基づいて、商品を注文した店舗端末及びユーザ端末を特定した状態で、店舗端末及びユーザ端末の少なくとも１つに対して商品が到着した旨の通知を行うよう通信部を制御する通信制御部と、を備える。【選択図】図２【図１】
0006868150.tif 000002
【図２】
0006868150.tif 000003
【図３】
0006868150.tif 000004
【図４】
0006868150.tif 000005
【図５】
0006868150.tif 000006